(57)【要約】      （修正有）【課題】第１の電子製品の第１のハウジングを第２の電子製品の第２のハウジングに正確・簡単に連結する連結装置を提供する。【解決手段】連結装置は、第１の部分２００ａ及び第２の部分２００ｂを有するリベットピン２００と、両部分の間に配置されるボルトヘッド２１０と、第２のハウジング２２２ａを係合するためのリベット本体部１００とを備える。リベットピン２００の第１の部分２００ａには、第１のハウジング１１１ａの壁部１１１ｃを固定するためのネジ山２１２が設けられる。リベット本体部１００には、スロット１０９が設けられており、リベットピン２００の第２の部分２００ｂはリベット本体部１００に挿入されて同リベット本体部１００を係合する。これにより、第２のハウジング２２２ａが第１のハウジング１１１ａに連結される。【選択図】図４
2004239435.tif 000002
【特許請求の範囲】
【請求項１】
第１の電子製品の第１のハウジングを第２の電子製品の第２のハウジングに連結するための連結装置において、前記第１のハウジングが、壁部を形成する第１の穴を有し、
前記連結装置が、第１の部分と第２の部分とを有するリベットピンを備え、前記第１の部分は、ネジ山を有し、前記壁部を係合して、リベットピンを第１のハウジングに固定し、前記第２の部分は、第２のハウジングを連結して、これにより第２のハウジングが第１のハウジングに連結される連結装置。
【請求項２】
前記第２のハウジングが少なくとも第２の穴を有する請求項１に記載の連結装置。
【請求項３】
前記連結装置が、前記第２の穴に挿入されて第２のハウジングを連結するためのリベット本体部をさらに備え、同リベット本体部にはスロットが設けられて、前記第２の部分をリベット本体部に挿入して同リベット本体部に対して係合することができ、これにより第２のハウジングが第１のハウジングに連結される請求項２に記載の連結装置。
【請求項４】
前記リベットピンが、前記第１の部分と第２の部分の間に配置されるボルトヘッドをさらに備え、使用者がリベットピンを回転させることのできる請求項１に記載の連結装置。
【請求項５】
ファンを第１の電子製品の第１のハウジングに連結するためのリベット装置において、前記第１のハウジングが、壁部を形成する第１の穴を有し、前記ファンが少なくとも第２の穴を有する第２のハウジングを有し、
前記リベット装置が、第１の部分と第２の部分を有するリベットピンと、前記第２のハウジングに連結するための第２の穴に挿入されるリベット本体部とを備え、前記第１の部分は、ネジ山を有し、リベットピンを第１のハウジングに固定するために壁部を係合し、前記リベット本体部にはスロットが設けられて、前記第２の部分をリベット本体部に挿入して同リベット本体部に対して係合することができるリベット装置。
【請求項６】
前記リベットピンが、前記第１の部分と第２の部分の間に配置されるボルトヘッドをさらに備え、使用者がリベットピンを回転させることができる請求項５に記載のリベット装置。
【発明の詳細な説明】
【技術分野】
【０００１】
（発明の分野）
本発明は、２個の電子製品を連結する装置に関する。
【背景技術】
【０００２】
（発明の背景）
従来の連結装置は、図１ａ、図１ｂ、図２に示すように、リベット本体部１００とリベットピン２００とを備える。
【０００３】
リベット本体部１００は、矢印形状をなす第１の部分１０１と、一定の直径を有する第２の部分１０３と、それよりも大きい直径を有する第３の部分１０５と、さらに大きい直径を有する第４の部分１０７とを有する。第１の部分１０１と第４の部分１０７との間には、軸方向に延びるスロット１０９が設けられる。また、第１の部分１０１と第２の部分１０３との間には、径方向に延びるスロット１１１が設けられ、軸方向に延びるスロット１０９に連結される。軸方向に延びるスロット１０９は、徐々に径が大きくなる端部１１３を有する。従来、変形や衝撃吸収の面から、リベット本体部１００を形成するには弾性材料を用いることが好ましいとされてきた。
【０００４】
リベットピン２００は、充実体の棒状体からなり、同棒状体は、ピン先端部２０２と、ロッド２０４と、端部２０６とを有する。取り付けに際し、ピンの端部２０６はリベット本体部の端部１１３に対応する。また、より大きい径を有する棒状体２０８が、ロッド２０４の両端部に配置される。棒状体２０８の直径は、取り付け時に、軸方向に延びるスロット１０９の大きさに合うようになっている。さらに、リベットピン２００の長さは、端部１１３と軸方向に延びるスロット１１９を合わせた長さよりも短い。従来、リベットピン２００には、取り付けの面から、硬質の材料を用いることが好ましいとされてきた。
【発明の開示】
【発明が解決しようとする課題】
【０００５】
従来の連結装置は、リベット本体部１００を有しており、リベット本体部１００は、連結されるべき２個の対象物の両方のハウジングに形成される穴に配置される。図２に示されるように、対象物１は、第１の部分１０１と第３の部分１０５の間に固定され、対象物２は、第３の部分１０５と第４の部分１０７の間に固定される。このため、リベットピン２００は、軸方向に延びるスロット１０９内で動かなくなる。従って、より使い易い新規の連結装置が求められている。
【課題を解決するための手段】
【０００６】
（発明の要約）
第１の電子製品の第１のハウジングを第２の電子製品の第２のハウジングに連結するための連結装置を提供する。第１のハウジングは、壁部を形成する第１の穴を備え、第２のハウジングは、少なくとも第２の穴を備える。
【０００７】
同連結装置の特徴は、リベットピン及びリベット本体部にある。リベットピンは、第１の部分と第２の部分を有する。ネジ山を有する第１の部分を第１のハウジングの壁部に対して係合することにより、リベットピンを第１のハウジングに取り付けることができる。ボルトヘッドがリベットピンの第１の部分と第２の部分の間に設けられているため、使用者は、リベットピンを回転させることができる。リベット本体部は、第２の穴に挿入されて第２のハウジングを連結し、軸方向に延びるスロットを有する。このスロットにより、リベットピンの第２の部分が、リベット本体部に挿入されて同リベット本体部を係合することが可能になり、第１のハウジングと第２のハウジングとが連結される。
【０００８】
また、ファンを第１の電子製品の第１のハウジングに連結するためのリベット装置が提供される。第１のハウジングは、壁部を形成する第１の穴を備え、前記ファンは、少なくとも第２の穴を備える第２のハウジングを有する。
【０００９】
前記リベット装置は、リベットピンとリベット本体部とを備える。リベットピンは、第１の部分と第２の部分を有する。ネジ山を有する第１の部分により、リベットピンの第１のハウジングへの取り付けが可能となる。ボルトヘッドがリベットピンの第１の部分と第２の部分の間に設けられているため、使用者は、リベットピンを回転させることができる。リベット本体部は、第２の穴に挿入されて第２のハウジングを連結し、軸方向に延びるスロットを有する。このスロットにより、リベットピンの第２の部分が、リベット本体部に挿入されて同リベット本体部を係合することが可能となり、第１のハウジングと第２のハウジングとが連結される。
【発明を実施するための最良の形態】
【００１０】
（詳細な説明）
図４に示されるように、第１の電子製品の第１のハウジング１１１ａを第２の電子製品の第２のハウジング２２２ａに連結するための連結装置を提供する。第１のハウジング１１１ａは、壁部１１１ｃを形成する第１の穴１１１ｂを備え、第２のハウジング２２２ａは、少なくとも第２の穴２２２ｂを備える。
【００１１】
本発明の連結装置の特徴は、図３に示されるように、リベットピン２００及びリベット本体部１００にある。リベットピン２００は、第１の部分２００ａ、及び／又は第２の部分２００ｂ、及び／又はボルトヘッド２１０を有する。ネジ山２１２を有する第１の部分２００ａは、第１のハウジング１１１ａの壁部１１１ｃを係合し、リベットピン２００の第１のハウジング１１１ａへの取り付けを可能にする。第２の部分２００ｂには、ピン先端部２０２と、一定の直径を有するロッド２０４と、ロッド２０４の両端部に配置される棒状体２０８とが設けられる。ボルトヘッド２１０がリベットピンの第１の部分２００ａと第２の部分２００ｂの間に設けられているため、使用者は、リベットピン２００を回転させることができる。リベット本体部１００は、第２の穴２２２ｂに挿入されて第２のハウジング２２２ａを連結して、軸方向に延びるスロット１０９を有する。このスロット１０９により、リベットピン２００の第２の部分２００ｂが、リベット本体部１００内に挿入されて同リベット本体部１００を係合することが可能となり、第１のハウジング１１１ａと第２のハウジング２２２ａとが連結される。取り付けに際し、棒状体２０８の直径は、軸方向に延びるスロット１０９に大きさが対応し、第２の部分２００ｂの長さは、軸方向に延びるスロット１０９の全長よりも短い。
【００１２】
上述した本発明の装置においては、第１のハウジング１１１ａと第２のハウジング２２２ａのそれぞれの連結位置は、より正確に、かつ、より制限が少ない状態で決定される。有用性が向上したことに加え、本発明の連結装置の重量は少なくて済む。
【００１３】
本発明の別の目的は、ファン２２２を電子製品の第１のハウジング１１１ａに連結するための、図３及び図４に示されるようなリベット装置を提供することにある。ファン２２２は、第２のハウジング２２２ａを有する。第１のハウジング１１１ａは、壁部１１１ｃを形成する第１の穴１１１ｂを備え、第２のハウジング２２２ａは、少なくとも第２の穴２２２ｂを備える。ファン及び同様の装置は、プロジェクタ等の電子製品の冷却装置として機能する。
【００１４】
前記リベット装置は、リベットピン２００を有しており、同リベットピン２００は、第１の部分２００ａと、第２の部分２００ｂと、ボルトヘッド２１０とを備える。ネジ山２１２を有する第１の部分２００ａは、第１のハウジング１１１ａの壁部１１１ｃを係合して、リベットピン２００の第１のハウジング１１１ａへの取り付けを可能にする。第２の部分２００ｂには、ピン先端部２０２と、一定の直径を有するロッド２０４と、ロッド２０４の両端部に配置される棒状体２０８とが設けられる。ボルトヘッド２１０がリベットピンの第１の部分２００ａと第２の部分２００ｂの間に設けられているため、使用者は、リベットピン２００を回転させることができる。リベット装置は、さらに、リベット本体部１００を有する。リベット本体部１００は、第２の穴２２２ｂに挿入されて第２のハウジング２２２ａを連結し、軸方向に延びるスロット１０９を有する。このスロット１０９により、リベットピン２００の第２の部分２００ｂが、リベット本体部１００内に挿入されて同リベット本体部１００を係合することが可能となり、第１のハウジング１１１ａと第２のハウジング２２２ａとが連結される。取り付けに際し、棒状体２０８の直径は、軸方向に延びるスロット１０９に大きさが対応し、第２の部分２００ｂの長さは、軸方向に延びるスロット１０９の全長よりも短い。
【００１５】
本発明は、例示的な実施例について説明をしたが、これらの説明は限定的な意味合いで解釈されるべきものではない。本発明には他の実施例が存在することや、例示した実施例には様々な変更を加えることが可能であることは、説明から明らかである。従って、本願の請求の範囲は、本発明の真正なる範囲内となる変更や実施例、その法的な均等物に及ぶものとする。
【図面の簡単な説明】
【００１６】
【図１ａ】従来技術によるリベット本体部を示す概略図。
【図１ｂ】従来技術によるリベットピンを示す概略図。
【図２】従来技術による連結装置を示す概略図。
【図３】本発明の実施例におけるリベットピンを示す概略図。
【図４】本発明の実施例におけるリベット装置を示す概略図。
【図１ａ】
2004239435.tif 000003
【図１ｂ】
2004239435.tif 000004
【図２】
2004239435.tif 000005
【図３】
2004239435.tif 000006
【図４】
2004239435.tif 000007
【外国語明細書】
2004239435.tif 000008
2004239435.tif 000009
2004239435.tif 000010
2004239435.tif 000011
2004239435.tif 000012
2004239435.tif 000013
2004239435.tif 000014
2004239435.tif 000015
2004239435.tif 000016
2004239435.tif 000017
2004239435.tif 000018
2004239435.tif 000019